(57)【要約】【課題】本発明は、整骨の手技を器機によって行うことで、腰痛治療の効率化と安定化を図ることで、多くの腰痛の患者の治療をスムーズに、確実に行うことをことを課題とするものである。【解決手段】椎骨の歪み等を改善すべく伏臥状態で腰痛の患者を載置するためのベットからなる脊椎矯正装置において、前記ベットには、ベットより延出し患者の脚の大腿骨頭を支点として回動自在に取り付けられた長尺状の支持桿と、該支持桿の先端側に設けられ延出した脚の脚先を固定保持するための脚先保持体とが設けられ、しかも支持桿又は脚先保持体には固定保持した脚を脊椎骨方向へ押圧するための押圧手段が設けられていることである。【選択図】図１
2008149099.tif 000002
【特許請求の範囲】
【請求項１】
椎骨の歪み等を改善すべく伏臥状態で腰痛の患者を載置するためのベットからなる脊椎矯正装置において、前記ベットには、ベットより延出し患者の脚の大腿骨頭を支点として回動自在に取り付けられた長尺状の支持桿と、該支持桿の先端側に設けられ延出した脚の脚先を固定保持するための脚先保持体とが設けられ、しかも支持桿又は脚先保持体には固定保持した脚を脊椎骨方向へ押圧するための押圧手段が設けられていることを特徴とする脊椎矯正装置。
【請求項２】
前記押圧手段には、押圧力の強弱、押圧力の速さ、押圧する回数を自在に調整する構成が含まれている請求項１に記載の脊椎矯正装置。
【発明の詳細な説明】
【技術分野】
【０００１】  腰痛を引き起こす脊椎骨の変位を正常に矯正する脊椎矯正装置に関するものである。
【背景技術】
【０００２】  一般に、腰痛に対しては人手によって、ベットに仰臥又は伏臥状態とした患者の腰部を牽引したり、腰部を左右、前後に揺動／押圧／回転させたりするマッサージ及び腰部分、又は椎骨部分への指圧による治療が知られている。【０００３】  マッサージ及び指圧による治療は術者の技量、経験値が治療効果に大きな影響を与えるために、上記手技による治療を機械化して各種の装置が考えられた。【０００４】  例えば、背もたれ状に着座させた患者の脊柱に沿った方向に荷重を負荷しながら腰痛の脊柱系の治療を行う脊柱軸圧装置や、ベットに患者を仰臥した状態で身体の軸方向に牽引力を加えて脊柱や脚関節を伸ばすことにより矯正治療を行うベット式身体牽引機や、ベットに仰臥した患者の上半身を固定し、脚部を別々に固定し、身体の軸方向に脚部を往復移動することで牽引または圧迫することで骨盤の仙陽関節を揺動して腰痛の治療を行う骨盤治療装置や、ベットに患者を仰臥し、脚部分を持ち上げて腰部をベットより遊離させた状態で背骨に対して交差する方向に揺動を与えることで椎骨の歪みと腰部分の筋肉のバランスの改善する腰痛・治療具等が提案されている。
【特許文献１】特開平０４−２２６６５３号
【特許文献２】実開平０５−０３９５２２号
【特許文献３】特開平０８−１５０１６１号
【特許文献４】特開２００３−１６９８１８号
【発明の開示】
【発明が解決しようとする課題】
【０００５】  しかしながら、上記脊柱軸圧装置では、椅子枠体に上昇圧を加えながらその反力として背柱部に荷重を負荷させ整復性を高めるとともに骨強度を増加回復させながら治療する効果があるが、腰痛の患者にとって長く着座した状態で治療を受けるのは荷重が腰部分加わり負担が大きいという課題がある。【０００６】  また、ベット式身体牽引機や骨盤治療装置では、仰臥した患者の上半身を固定した状態で身体の軸方向に牽引力を加える又は身体の軸方向に脚部を往復移動することで牽引または圧迫する方式がとられているために、患者への力の加わる方向がいつも一定となり、脊椎骨の軸方向の矯正用としては適切な治療が行えるものの、脊椎骨の回転変位に対しては十分な治療効果を期待できない。【０００７】  また、腰痛・治療具は、背骨に対して交差する方向に揺動を与えることで、椎骨の歪みと腰部分の筋肉のバランスの改善することはできるものの、ベットに仰臥した患者の脚部分を持ち上げて腰部をベットより遊離させる姿勢が、腰痛の強弱により患者の負担となりやすいという課題がある。【０００８】  このように、上記従来の各装置や治療具では、脊椎骨が回転変位をおこし、椎間関節のアライメントが正常位置をはずれることを原因とする腰痛の治療には、十分に対応できないという欠点が存在した。【０００９】  本発明は、このような従来の問題点である腰痛の治療を受ける患者に負担をかけることなく、より的確に対応することのできる脊椎矯正装置を提供することを課題とするものである。
【課題を解決するための手段】
【００１０】  そして、本発明は上記目的を達成するために、椎骨の歪み等を改善すべく伏臥状態で腰痛の患者を載置するためのベットからなる脊椎矯正装置において、前記ベットには、ベットより延出し患者の脚の大腿骨頭を支点として回動自在に取り付けられた長尺状の支持桿と、該支持桿の先端側に設けられ延出した脚の脚先を固定保持するための脚先保持体とが設けられ、しかも支持桿又は脚先保持体には固定保持した脚を脊椎骨方向へ押圧するための押圧手段が設けられていることを特徴とする。【００１１】  また、押圧手段には、押圧力の強弱、押圧力の速さ、押圧する回数を自在に調整する構成が含まれている。
【課題解決手段による作用】
【００１２】  上記の課題解決手段による作用は、次の通りである。
先ず、腰痛のある患者を伏臥状態でベットに寝かせ、患者の脚を腰に負担がかからない状態で且つ開閉可能な範囲でベットより延出させる。
【００１３】  次に、延出した脚のうち腰痛の原因となる脊椎骨が回転変位している方の脚、例えば、脊椎骨が左側に回転変位している場合は左脚をベットより延出した長尺状の支持桿に載置し、その脚先（足首よりつま先部分）を脚先保持体に保持固定する。
【００１４】  その後、脊椎骨の回転変位の大小に応じて左脚の載置保持された支持桿を患者の脚の大腿骨頭を支点とし、所望の角度（脊椎骨の回転変位が小さい場合は基台の回動角度を小さくし、脊椎骨の回転変位が大きい場合は基台の回動角度を大きくする。）開くことで延ばしたままの右脚との間に所望の角度を形成する。
【００１５】  次に、押圧手段により支持桿又は脚先保持体を脊椎骨方向に一定量（脊椎骨の回転変位に応じて）押圧することを繰り返えす。この押圧により、患者の脊椎骨は正常方向に回転して元の状態に回復し、椎間関節のアライメントを正常に回復させる。
【００１６】  上記のような作用を患者の腰痛の強弱に応じて行うことで、患者の腰痛を解消する。
【００１７】  上記基台の回動角度は、患者の腸骨の変位に関連し、例えば、脊椎骨に対して約１０度開いた場合と、約３０度開いた場合とでは約３０度開いた場合の方が腸骨の変位が大きくなり、脊椎骨の回転変位を大きくすることができる。
【００１８】  また、支持桿の回動角度ばかりでなく、患者の脚先を脊椎骨方向に押圧する押圧手段は押圧力の強弱、押圧する速さ、押圧する回数を自在に調整することができるために、あらゆる患者の腰痛の回転変位に対応することができる。
【課題解決手段による効果】
【００１９】  上記作用における本発明の脊椎矯正装置の効果について説明する。本発明の脊椎矯正装置は単に脚に押圧力を加えるだけでなく、脊椎骨の回転変位に対応して押圧力を加える方向及び強さ等を自在に設定できるので、従来の整骨の手技を的確にシステム化することができた。これにより、腰痛治療を確実に且つスムーズに行うことができる。
【００２０】  また、手技のような重労働を伴うことなく患者の腰痛を解消することができるので、多くの患者に同一の治療を連続して提供することができる。
【００２１】  また、装置の構成も簡易であり、部品点数も少なくすることができるので装置のコストを低減することができる。
【００２２】  さらに、患者はベットに脚をベットより延出して伏臥状態で寝ればよく、治療時の姿勢においても患者への負担が少なくい。
【発明の実施をするための最良の形態】
【００２３】  以下、本発明の脊椎矯正装置の実施の一形態を、図面に基づいて説明する。
図１乃至図４は、本発明の脊椎矯正装置の一実施の形態を示し、図１は平面図、図２は脚先保持体の一部断面側面図、図３は取付板の背面図、図４は取付板の正面図である。
【００２４】  図５乃至図９は、脊椎矯正装置の使用状態を示し、図５は脚先保持体に脚を装着した状態を示す説明側面図、図６は保持板の左右方向への回転を示す説明図、図７は保持体の前後方向への回転を示す説明図、図８は患者がベットに伏臥状態となり支点を中心に支持桿に脚を載置した状態を示す説明平面図、図９は図７の状態より支点を中心に支持桿を回動して脚を所望角度開いた状態を示す説明平面図である。
【００２５】  図１０乃至図１３は支持桿の回動角度と腸骨の変位との関係を示し、図１０は支持桿の回動角度が小さい場合を示す平面図、図１１は図１０に比し支持桿の回動角度が大きい場合を示す平面図、図１２は腸骨の変位の変移の少ない場合（図１０に対応し支持桿の回動角度を少なくして押圧）を示す説明図、図１３は腸骨の変位の変移の大きい場合（図１１に対応し支持桿の回動角度を大きくして押圧）を示す説明図ある。
【００２６】  図１４及び図１５は本発明の他実施例を示し、図１４は支持桿の他実施例を示す側面図、図１５は、患者の体格に応じてベットへの伏臥位置、及び支持桿の調整を示す説明平面図である。
【００２７】  次に、本発明の実施の一形態である脊椎矯正装置１及び各部の構成について図面に従って説明する。
【００２８】  本発明の脊椎矯正装置１は、図１乃至図４より患者Ｋが伏臥状態に横たわるための略長方形状（縦が長寸Ａ、横が短寸Ｂ）のベット２と、ベット２の裏側中心部で回動自在で、短寸Ｂ方向でベット２より延出し、患者Ｋの一方の脚Ｋ１を載置（下腿部より脚先まで）するための長尺状の支持桿４と、支持桿４の延出部分の先端又は先端近傍に取り付けられ、患者Ｋの脚先Ｋ２（足首からつま先までの部分）を固定保持するための脚先保持体５とから構成されている。
【００２９】  上記ベット２は特に大きさは問わないが、支点３を患者Ｋの脚Ｋ１の大腿骨頭に位置させると患者の脚Ｋ１（下腿部）、脚の脚先Ｋ２（足首より下まで）がベット２より突出することが必要であり、通常ベット２に設けられている脚側の落下防止用の手摺部分は必要としない。
【００３０】  基台桿９の先端側には脚先保持体５の位置を調整移動するとともに押圧手段により押圧移動するためのレール１０が設けられ、患者Ｋの体格（身長差による脚の長さの相違）により、脚先保持体５をレール１０に沿って移動することで脚Ｋ１の長さを微調整することができる。
【００３１】  上記脚先保持体５をレール１０に沿って移動及び押圧する手段としては、駆動源（図示せず）をレール１０の下方に設けて駆動源によりベルト又はギアを介してレール１０に沿って移動するように構成する。又は電動ウインチでワイヤーを移動するように構成することも可能である。また、押圧移動の強さ、速さ、回数はベット２に設けられた制御盤（図示せず）により患者Ｋの腰痛の度合いに応じて予め設定することで自在に制御することができる。
【００３２】  脚先保持体５は、脚裏Ｋ３を当接させる長方形状の載置板１１ａと、載置板１１ａの裏面に固着され、載置板１１ａより小さめの長方形状に形成された取付板１１ｂとからなる保持板１１と、取付板１１ｂに軸支され、保持板１１の角度を調整するための角度調整体１２とから構成されている。
【００３３】  取付板１１ｂの上端側中央部より長尺方向の略中央部に沿って上端側中央部で開口した縦長溝２５が穿設され、載置板１１ａの上部側の中央部には上下方向に沿って長尺状の長孔２６が穿設され、略中央部の左側近傍には、脚の甲の部分を固定する甲帯体１６を取り付ける（挿通して取り付ける）コの字状の取付部１７が設けられている。即ち、載置板１１ａと取付板１１ｂとは長孔２６と縦長溝２５との取り付け位置で縦方向の長さを調整することができる。
【００３４】  載置板１１ａの上部側には、脚首Ｋ５を固定する側面から見て略Ｌ字状の固定具１５が、前記縦長溝２５と長孔２６に先端ネジ部分を挿通してナット等で固定する棒状の留具２７で固定されている。これにより、固定具１５の取り付け位置を載置板１１ａ上で上下方向に移動することができる。
【００３５】  固定具１５は、載置板１１ａに接し、上端部より水平方向に沿って形成された溝２８の形成された水平取付部１５ａと、載置板１１ａに垂直な垂直取付部１５ｂと、垂直取付部１５ｂに貫通して形成され脚首用帯体１３を挿通して取り付けるための孔１４とから形成されている。
【００３６】  角度調整体１２は、取付板１１ｂの略中央部に固定された略半円弧状の円弧体２９と、円弧体２９の天頂部に穿設された孔２９ａに挿通された芯棒３０の先端に固定され、円弧体２９の内部で小径の円板３１と、芯棒３０の挿通された枠体３２と、芯棒３０の他端側に取り付けられ枠体３２を芯棒３０に沿って円板３１側に押圧移動するレバー体３３とから構成されている。これにより、保持板１１の角度は３６０°首振り可能であり、また、上下左右の角度を各々１０°程度変更可能である。
【００３７】  枠体３２には略Ｌ字状の支持体３４が取り付けられ、該支持体３４を基台桿９のレール１０に連結することで、脚先保持体５を支持桿４の先端に取り付けることができる。
【００３８】  本発明の実施例１の脊椎矯正装置１は上記のように構成され、次に、脊椎矯正装置１を使用して腰痛の治療をする場合について、図５乃至図９を用いて説明する。
【００３９】  先ず、脊椎骨が回転変位している方向（例では、左側）及び変位の度合い（重度Ａ、軽度Ｂ）の確認した患者Ｋをベット１の上に脚Ｋ１を真っ直ぐ伸ばした伏臥状態で寝かせて、患者Ｋのベット１上の頭Ｋ０の位置を決定する。
【００４０】  次に、脚先保持体５の位置を患者Ｋの脚Ｋ１の長さに合わせ、その後患者Ｋの踵Ｋ４が固定具１５に当接し、脚裏Ｋ３が載置板１１ａに当接するように保持板１１の角度を調整（３６０°の範囲での回転調整、上下左右方向での角度の微調整）し、レバー３３を閉めることでことで保持体１１を固定し、患者Ｋの左脚Ｋ１を脚先保持体５に取り付ける。
【００４１】  脚先Ｋ２を固定した後、支持桿４を支点３を中心に所望の角度回動する。この回動する角度は、実施例では重度Ａ（脊椎骨Ｓの回転変位が大きい場合）の場合は約３０度と大きく広げ、軽度Ｂ（脊椎骨Ｓの回転変位が小さい場合）の場合は約１０度と少なく広げることで、腸骨Ｎへの押圧を適切に行うことができる。尚回動する角度は、脊椎骨Ｓの回転変位のみで決定されるものでなく医学的な検知より腰痛の症状や年齢等諸条件によって決定される。図１０乃至図１３参照。
【００４２】  上記のように、脚先保持体５により脚先Ｋ２を固定し、脚Ｋ１を支持桿４で所望の角度回動することで、腰痛の治療の準備が終了する。
【００４３】  次に、具体的な腰痛の治療に入る。
先ず、予め医学的診察等の状況に応じて制御盤に脚Ｋ１への押圧力（押圧する速度、強さ、回数、時間）をセットし、脚先保持体５をセットされた押圧力で押圧する。これにより、患者Ｋの脚Ｋ１は腸骨Ｎが適切に回動する方向に押圧されることとなり、脊椎骨Ｓの回転変位は解消され、正常の位置に戻ることとなる。
【００４４】  通常、押圧する速度は毎秒２〜３回の速さで、押圧する回数は数百回行うことを繰り返して行う。
【００４５】  上記治療終了後は、支持桿４の支点３を中心とした所望の角度の回動をもと（ベット２の長尺方向に）に戻し、脚先保持体５の脚首用帯体１３と甲帯体１６とを取り外して脚先Ｋ２をフリーの状態として、患者Ｋをベット２より下ろすことですべての治療が終了する。
【００４６】  このように、本発明の上記装置１を用いることで、従来の装置では解消できない患者の脊椎骨Ｓの回転変位を解消することができるので、大きな治療効果を得ることができる。
【００４７】  また、術者による重労働を要しなくとも、術者と同等のあらゆる脊椎骨Ｓの回転変位に対応することができ、同様の治療効果を得ることができる。
【００４８】  上記実施例では、患者Ｋの乗せるベット２の位置で支持桿４の支点３位置を決定したが、本発明において支点３の調整はこれに限定されるものでなく、例えば図１４及び図１５に記載のように、支持桿４をベット２より移動することで支点３を調整することも可能である。
【００４９】  この場合の構成の一実施例は、支点３を中心として回動自在に構成され支持桿４は、ベット２の裏側中心部に取り付けられ内部に駆動モータ（図示せず）の設けられた取付部６、駆動モータにより回転し外周にネジが形成された所望の長さを有する回転軸７と、回転軸７のネジ部分に一端側を螺合した移動体８と、移動体８の下方側の一点（支点３）で回動自在に取り付けられた長尺棒柱状の基台桿９とから構成され、回転軸７を回転して移動体８をベット２の長尺方向に移動（ベット２の短寸Ｂ方向より延出）することでと支点３を移動する。尚、支点３の移動方法はこれに限定されるものでなく、例えば、エアーポンプにより伸縮移動するシリンダーに取り付けられた移動軸と、移動軸に取り付けられた連結体と、連結体の下方側で、支点３部分で回動自在に取り付けられた基台桿９とから構成し、シリンダーの伸縮で移動軸７をベット２の長尺方向に移動することでと支点３を移動するように構成する。
【００５０】  その作用は、患者Ｋの体挌に応じて回転軸７に沿って移動部８を移動（背の高い患者Ｋの場合は上方に、背の低い患者Ｋの場合は下方に移動）することで支持桿４の支点３の位置を微調整（ベット２の端と支点３との距離Ｌで対応）する。
【図面の簡単な説明】
【００５１】
【図１】本発明の脊椎矯正装置の一実施の形態を示す平面図
【図２】脚先保持体の一部断面側面図
【図３】取付板の背面図
【図４】取付板の正面図
【図５】脚先保持体に脚を装着した状態を示す説明側面図
【図６】保持板の左右方向への回転を示す説明図
【図７】保持体の前後方向への回転を示す説明図
【図８】患者がベットに伏臥状態となり支点を中心に支持桿に脚を載置した状態を示す説明平面図
【図９】図７の状態より支点を中心に支持桿を回動して脚を所望角度開いた状態を示す説明平面図
【図１０】支持桿の回動角度が小さい場合を示す平面図
【図１１】図１０に比し支持桿の回動角度が大きい場合を示す平面図
【図１２】腸骨の変位の変移の少ない場合（図１０に対応し支持桿の回動角度を少なくして押圧）を示す説明図
【図１３】腸骨の変位の変移の大きい場合（図１１に対応し支持桿の回動角度を大きくして押圧）を示す説明図
【図１４】支持桿の他実施例を示す側面図
【図１５】患者の体格に応じてベットへの伏臥位置、及び支持桿の調整を示す説明平面図
【符号の説明】
【００５２】  １…脊椎矯正装置、２…ベット、３…支点、４…支持桿、５…脚先保持体、１０…レール、１１…保持板、１２…取付角度調整体、
Ｋ…患者、Ｋ１…脚、Ｎ…陽骨、Ｓ…脊椎骨
【図１】
2008149099.tif 000003
【図２】
2008149099.tif 000004
【図３】
2008149099.tif 000005
【図４】
2008149099.tif 000006
【図５】
2008149099.tif 000007
【図６】
2008149099.tif 000008
【図７】
2008149099.tif 000009
【図８】
2008149099.tif 000010
【図９】
2008149099.tif 000011
【図１０】
2008149099.tif 000012
【図１１】
2008149099.tif 000013
【図１２】
2008149099.tif 000014
【図１３】
2008149099.tif 000015
【図１４】
2008149099.tif 000016
【図１５】
2008149099.tif 000017